(57)【要約】【課題】引き戸扉を開ける動作のみで解除し得る簡易な構成の引き戸扉用ロック装置を提案する。【解決手段】枠体の開口部に取り付けられた引き戸扉に設けられた引き戸扉用ロック装置であって、枠体の上端部に取り付けられる受け部と、引き戸扉の左端部に取り付けられる把手体とを備え、把手体は、回動部材と、その回動を支持する支持体と、回動部材と支持体とを連結しかつ回動部材を回動させる回動軸とを備え、回動部材は、回動部材から突出した係止凸部を有し、支持体は、回動軸を軸支する軸支持孔を有し、受け部は、係止凸部と係止される係止凹部を有し、係止凸部が係止凹部に係止された状態において回動部材の回動により係止状態が解除される。【選択図】図２
2018115490.tif 000002
【特許請求の範囲】
【請求項１】
前面に開口部を有する枠体と、前記開口部において水平方向にスライドする引き戸扉とを備える家具に設けられる引き戸扉用ロック装置であって、
前記引き戸扉用ロック装置は、
前記枠体の上端部及び下端部の少なくとも一方に取り付けられる受け部と、前記引き戸扉の左端部及び右端部の少なくとも一方に取り付けられる把手体とを備え、
前記把手体は、回動部材と、前記回動部材の回動を支持する支持体と、前記回動部材と前記支持体とを連結するとともに前記支持体に対して前記回動部材を回動させる回動軸とを備え、
前記回動部材は、前記回動軸の軸方向と平行に設けられ、前記回動部材から突出した係止凸部を有し、
前記支持体は、前記回動軸を軸支する軸支持孔を有し、
前記受け部は、前記回動部材の前記係止凸部と係止される係止凹部を有し、
前記把手体における前記回動部材の前記係止凸部が前記受け部の前記係止凹部に係止された係止状態において、前記回動部材が前記回動軸を中心として回動すると前記係止状態が解除される
ことを特徴とする引き戸扉用ロック装置。
【請求項２】
前記受け部の前記係止凹部を形成する係止端部には、前記係止凸部が前記係止凹部に係止するまでの過程において接触する部分にＣ面取部分が形成され、
前記係止凸部のうち前記Ｃ面取部分と接触する部分には、Ｒ面取部分が形成されている
ことを特徴とする請求項１に記載の引き戸扉用ロック装置。
【発明の詳細な説明】
【技術分野】
【０００１】
本発明は、引き戸扉用ロック装置に関し、特に、引き戸扉を閉めたロック状態から当該ロック状態を解除して当該引き戸扉を開いた非ロック状態へ移行する際に用いられる引き戸扉用ロック装置に適用して好適なものである。
【背景技術】
【０００２】
従来、食器棚、本棚、吊り戸棚又はキャビネット等の引き戸扉を有する家具に用いられ、当該引き戸扉が開かないようにロックするロック機構において、引き戸扉を開ける動作に伴って当該引き戸扉のロック状態を解除するものがある。
【０００３】
このようなロック機構として、例えば、扉の一端部に、使用者が操作する回動レバーと、回動レバーと連動する回動片と、回動片と連動する係止片と、回動片に設けられた付勢手段と、を具備する扉開閉手段を有し、扉を収容する枠部に設けられた隆起部に、係止片と係合可能である係止片受け部を有し、係止片と係止片受け部との係合により、扉が開放不能になり、扉の可動方向に回動レバーを押すことで、係止片と前記係止片受け部との係合が解除されるものが開示されている（例えば、特許文献１を参照。）。
【先行技術文献】
【特許文献】
【０００４】
【特許文献１】特開２０１３−１５８５１７号公報
【０００５】
しかしながら、特許文献１のロック機構では、係止片を回動片と連動させるために、係止片と回動片とを複数の連結具で連結しているほか、回動片を操作するための回動レバーを設けており、全体として部品点数が多い。そのため、特許文献１のロック機構では、部品を配置するために多くのスペースが必要であるほか、製造コストも高くなっている。
【発明の概要】
【発明が解決しようとする課題】
【０００６】
そこで、本発明は上記事情に鑑みてなされたものであり、引き戸扉を開ける動作のみでロック状態を解除し得、部品点数が少なく、省スペース化と低コスト化を可能とした簡易な構成の引き戸扉用ロック装置を提供することを目的とする。
【課題を解決するための手段】
【０００７】
上記目的を達成するために、本発明においては、前面に開口部(510a)を有する枠体(510)と、前記開口部(510a)において水平方向にスライドする引き戸扉(520)とを備える家具(500)に設けられる引き戸扉用ロック装置(300)であって、前記引き戸扉用ロック装置(300)は、前記枠体(510)の上端部及び下端部の少なくとも一方に取り付けられる受け部(100)と、前記引き戸扉(520)の左端部及び右端部の少なくとも一方に取り付けられる把手体(62)とを備え、前記把手体(62)は、回動部材(60)と、前記回動部材(60)の回動を支持する支持体(11)と、前記回動部材(60)と前記支持体(11)とを連結するとともに前記支持体(11)に対して前記回動部材(60)を回動させる回動軸(12)とを備え、前記回動部材(60)は、前記回動軸(12)の軸方向と平行に設けられ前記回動部材(60)から突出した係止凸部(63)を有し、前記支持体(11)は、前記回動軸(12)を軸支する軸支持孔(23)を有し、前記受け部(100)は、前記回動部材(60)の前記係止凸部(63)と係止される係止凹部(130)を有し、前記把手体(62)における前記回動部材(60)の前記係止凸部(63)が前記受け部(100)の前記係止凹部(130)に係止された係止状態において、前記回動部材(60)が前記回動軸(12)を中心として回動すると前記係止状態が解除されることを特徴とする。
【０００８】
本発明において、前記受け部(100)の前記係止凹部(130)を形成する係止端部(120)には、前記係止凸部(63)が前記係止凹部(130)に係止するまでの過程において接触する部分にＣ面取部分(120a)が形成され、前記係止凸部(63)のうち前記Ｃ面取部分(120a)と接触する部分には、Ｒ面取部分(63xy)が形成されていることを特徴とする。
【発明の効果】
【０００９】
本発明によれば、引き戸扉を開ける動作のみでロックが解除し得、部品点数が少なく、省スペース化と低コスト化を可能とした簡易な構成の引き戸扉用ロック装置を実現することができる。
【図面の簡単な説明】
【００１０】
【図１】本実施形態における引き戸扉用ロック装置を備えた食器棚の一部の構成を示す斜視図である。
【図２】本実施形態における引き戸扉用ロック装置の構成を示す分解斜視図である。
【図３】本実施形態における引き戸扉用ロック装置の本体部の構成を示す分解斜視図である。
【図４】本実施形態における引き戸扉用ロック装置の上蓋部の構成を示す背面図、上面図、および、下面図である。
【図５】本実施形態における引き戸扉用ロック装置の回動部材の構成を示す上面図である。
【図６】本実施形態における引き戸扉用ロック装置の収容部材の構成を示す斜視図である。
【図７】本実施形態における引き戸扉用ロック装置のバネ支持部材の構成を示す上面図、斜視図、および、下面図である。
【図８】本実施形態における引き戸扉用ロック装置の受け部の構成を示す斜視図である。
【図９】本実施形態において引き戸扉が閉められるときの引き戸扉用ロック装置の動作を説明するための図であり、（Ａ）は引き戸扉が開いている状態を示す図であり、（Ｂ）は引き戸扉が閉まる途中の状態を示す図であり、（Ｃ）は引き戸扉が閉まった状態を示す図である。
【図１０】本実施形態において引き戸扉が開けられるときの引き戸扉用ロック装置の動作を説明するための図であり、（Ａ）は引き戸扉が閉まっている状態を示す図であり、（Ｂ）は引き戸扉を開ける途中の状態を示す図であり、（Ｃ）は引き戸扉が開いた状態を示す図である。
【発明を実施するための形態】
【００１１】
以下、本発明の実施形態について、図面を参照しながら説明する。
【００１２】
＜引き戸扉用ロック装置を備えた食器棚＞
図１に示すように、食器棚５００は、開口部５１０ａを有する枠体５１０、その開口部５１０ａに配置される引き戸扉５２０、及び、引き戸扉用ロック装置３００を備えている。
【００１３】
以下、説明の便宜上、引き戸扉用ロック装置３００において、左側とは、食器棚５００の開口部５１０ａを正面として見たときの矢印ａ方向とし、右側とは、食器棚５００の開口部５１０ａを正面として見たときの矢印ｂ方向とする。また、上側とは、食器棚５００の開口部５１０ａを正面として見たときの矢印ｃ方向とし、下側とは食器棚５００の開口部５１０ａを正面として見たときのｄ方向とする。また、正面側とは、食器棚５００の開口部５１０ａをユーザが正面から目視するときの矢印ｅ方向とし、背面側とは、食器棚５００の開口部５１０ａを正面として見たときの矢印ｆ方向とする。
【００１４】
引き戸扉用ロック装置３００は、枠体５１０の左側（矢印ａ方向）の上側（矢印ｃ方向）の端部（以下、これを「上端部」ともいう。）に取り付けられる受け部１００と、引き戸扉５２０の左側（矢印ａ方向）の端部（以下、これを「左端部」ともいう。）に取り付けられるロック機構付把手部２００とを備えている。ここで、図１に示す太い白抜き矢印の方向は、引き戸扉５２０が閉まる方向である。したがって、白抜き矢印の反対方向は引き戸扉５２０の開く方向である。
【００１５】
＜ロック機構付把手部の構成＞
図２〜図７を参照して、本実施形態における引き戸扉用ロック装置３００のロック機構付把手部２００の構成について説明する。
【００１６】
ロック機構付把手部２００は、図２に示すように、上蓋部１０と、下蓋部３０と、本体部５０とを備え、上蓋部１０と本体部５０とがピン１２を介して連結され、下蓋部３０と本体部５０とがピン１２を介して連結された一体構成を有している。
【００１７】
＜上蓋部＞
上蓋部１０は、図２および図３に示すように、略直方体形状の支持体１１と、複数の固定ねじ１３とを有する。下蓋部３０は、略直方体形状の支持体３１と、複数の固定ねじ１３とを備えている。
【００１８】
図４（Ａ）〜（Ｃ）に示すように、支持体１１には、回動部材収容空間２１、係止凸部貫通孔２２、ピン支持孔２３、および、ねじ固定孔２４，２５，２６が形成されている。
【００１９】
回動部材収容空間２１は、後述する本体部５０の回動部材６０の上側（矢印ｃ方向）の端部である上端部を収容し、かつ、その回動範囲を規制する収容空間である。
【００２０】
回動部材収容空間２１は、ピン１２が回動部材６０のピン支持部６１のピン支持孔６１ａに支持された状態で、当該ピン１２を回動軸として回動部材６０が回動するときの回動角度範囲を規制することが可能な平面視略扇状の収容空間である。回動部材収容空間２１は、支持体１１の下面１１ｂから所定の深さだけ凹んでいる。
【００２１】
具体的には、回動部材収容空間２１は、回動部材６０の回動角度範囲を規制することを目的としており、回動部材６０に対するストッパとしての役割を担う平坦な第１内壁面２１ｐおよび第２内壁面２１ｑ、回動部材６０の外周面に沿った弧状の第３内壁面２１ｒ、弧状の第４内壁面２１ｓ、第３内壁面２１ｒと対向した平坦な第５内壁面２１ｕ、第４内壁面２１ｓと対向する平坦な第６内壁面２１ｖによって画成されている。
【００２２】
第１内壁面２１ｐは、ピン支持孔２３に支持されるピン１２を中心として回動部材６０が回動する前のデフォルト状態において、当該回動部材６０の側壁部分６２ｑ（図５）と当接するストッパ面として機能する。第２内壁面２１ｑは、回動部材６０が回動したときに当該回動部材６０の側壁部分６２ｐと当接するストッパ面として機能する。
【００２３】
第３内壁面２１ｒは、ピン１２を中心として回動部材６０が回動するときに当該回動部材６０の連結壁部分６２ｒ（図５）と沿う面であり、ピン支持孔２３を中心として円弧状に形成されている。第４内壁面２１ｓは、ピン１２を中心として回動部材６０の係止凸部６３が回動する際の軌跡に沿う面であり、ピン支持孔２３を中心として円弧状に形成されている。
【００２４】
係止凸部貫通孔２２は、後述する回動部材６０の係止凸部６３が支持体１１を貫通した状態で回動部材６０の回動とともに回動するための貫通孔である。係止凸部貫通孔２２は、ピン支持孔２３の左側（矢印ａ方向）に、当該ピン支持孔２３を中心として当該ピン支持孔２３の外周面に沿って弧状に形成されている。
【００２５】
この係止凸部貫通孔２２は、回動部材６０の係止凸部６３が支持体１１の上面１１ａから下面１１ｂまで貫通して挿通された状態において当該係止凸部６３が干渉することなく回動することを目的として設けられている。
【００２６】
具体的には、係止凸部貫通孔２２は、平坦な第１内壁面２２ｐおよび第２内壁面２２ｑ、ピン支持孔２３の外周面に沿った弧状の第３内壁面２２ｒおよび第４内壁面２２ｓによって画成されている。なお、第１内壁面２２ｐから第２内壁面２２ｑまでの回動角度範囲は、係止凸部６３の回動角度範囲とほぼ同じか、或いは、それよりも僅かに大きく形成されている。
【００２７】
ピン支持孔２３は、ピン１２が挿入された状態で当該ピン１２を回動部材６０の回動軸として回動可能に軸支する円筒状の貫通孔である。ピン支持孔２３の内径は、後述するピン１２の縮径部１２ｂの外径と略同一である。ねじ固定孔２４，２５，２６は、上蓋部１０の支持体１１と本体部５０の収容部材７０とを３つのネジ１３により取り付けて固定するための貫通孔である。
【００２８】
ねじ固定孔２４は、支持体１１の上面１１ａから下面１１ｂにかけて貫通する貫通孔である。ねじ固定孔２４は、支持体１１と収容部材７０とが正しい取り付け位置に配置された状態において第１ねじ受け部７７と同軸上になるような位置に設けられている。ねじ固定孔２４は、円筒状の筒状孔２４ａと、略円錐台形状の台形孔２４ｂとを有する。
【００２９】
ねじ固定孔２５，２６は、ねじ固定孔２４と同様の構成を有するため、説明を省略する。ねじ固定孔２５は、支持体１１と収容部材７０とが正しい取り付け位置に配置された状態において第２ねじ受け部７８と同軸上になるような位置に配置されている。ねじ固定孔２６についても、支持体１１と収容部材７０とが正しい取り付け位置に配置された状態において第３ねじ受け部７９と同軸上になるような位置に配置されている。
【００３０】
ピン１２は、図３に示すように、円柱状の軸本体１２ａと、軸本体１２ａと同軸上に一体形成された円柱状の縮径部１２ｂとを有する。縮径部１２ｂの外径は、軸本体１２ａの外径より小さい。ピン１２の縮径部１２ｂが支持体１１のピン支持孔２３に軸支される。なお、後述する下蓋部３０のピン１２は、支持体３１のピン支持孔（図示せず）に軸支される。
【００３１】
＜下蓋部＞
下蓋部３０は、上蓋部１０の支持体１１とほぼ同一の直方体形状を有する支持体３１と、ピン１２と、複数の固定ねじ１３とを有する。下蓋部３０の支持体３１は、支持体１１と上下対称の部材であり、支持体１１に設けられている係止凸部貫通孔２２が支持体３１には設けられていない以外、支持体１１と同様の構成を有する。
【００３２】
具体的には、支持体３１は、回動部材６０の下側（矢印ｄ方向）の端部を収容するとともに回動角度範囲を規制する回動部材収容空間４１と、ピン支持孔（図示せず）と、３つのねじ固定孔４４，４５，４６を有する。なお、回動部材収容空間４１は、回動部材収容空間２１と同じ回動角度範囲である。
【００３３】
＜本体部＞
本体部５０は、図２に示すように、回動部材６０と、収容部材７０と、バネ支持部材８０と、付勢部材９０と、を備えている。
【００３４】
回動部材６０は、図３および図５に示すように、ピン１２が挿入されるピン支持孔６１ａを有する略円筒形状のピン支持部６１と、引き戸扉５２０をスライドさせる際の取っ手となる略三角筒状の把手体６２と、後述する受け部１００（図８）の係止凹部１３０に係止される係止凸部６３とを備え、ピン支持部６１、把手体６２および係止凸部６３が一体に形成されている。
【００３５】
ピン支持部６１は、上下方向（矢印ｃｄ方向）に沿った開口６１ｈを有する平面視Ｃ字状の筒体部分であり、上側（矢印ｃ方向）の端部（以下、これを「上端部」ともいう。）および下側（矢印ｄ方向）の端部（以下、これを「下端部」ともいう。）にピン支持孔６１ａ、６１ｂを有する。ピン支持孔６１ａ、６１ｂの内径は、ピン１２の外径よりも僅かに大きい。
【００３６】
把手体６２は、図５に示すように、中空の略三角筒状部材であり、薄い板状の２つの側壁部分６２ｐ，６２ｑと、側壁部分６２ｐ，６２ｑとを連結した連結壁部分６２ｒとを備え、側壁部分６２ｐ、６２ｑ、及び、連結壁部分６２ｒが一体に形成されている。この把手体６２の側壁部分６２ｐ、６２ｑが交差した頂点に相当する部分にピン支持部６１が設けられている。
【００３７】
係止凸部６３は、略直方体であり、ピン支持部６１のピン支持孔６１ａ、６１ｂに支持されるピン１２と平行に設けられ、かつ、当該ピン支持部６１と一体に設けられている。
【００３８】
係止凸部６３は、ピン支持部６１及び把手体６２の上下方向（矢印ｃｄ方向）の長さよりも長く形成されており、ピン支持部６１及び把手体６２の上端面よりも上側（矢印ｃ方向）へ所定の長さだけ突出している。
【００３９】
係止凸部６３は、平面視略長方形状を有しており、背面側（矢印ｆ方向）の側面６３ｘと左側（矢印ａ方向）の側面６３ｙとの角部については、Ｒ状に面取りが施されたＲ面取部分６３ｘｙが形成されている。
【００４０】
係止凸部６３は、薄い板状部材からなる連結部６４を介してピン支持部６１と一体に連結されている。係止凸部６３および把手体６２の側壁部分６２ｑは、ピン支持部６１を中心として所定の角度だけ互いに離間している。係止凸部６３および把手体６２の側壁部分６２ｐは、ピン支持部６１を中心として約９０度の角度だけ互いに離間している。
【００４１】
図３および図６に示すように、収容部材７０は、正面側（矢印ｅ方向）に開口７０ｃを有する略筒状直方体であり、上側（矢印ｃ方向）及び下側（矢印ｄ方向）に開口７０ａ、７０ｂを有している。収容部材７０は、組み立て時に開口７０ｃから回動部材６０を収容することが可能である。
【００４２】
収容部材７０は、背面側（矢印ｆ方向）の背板７１と、当該背板７１と連結する左側（矢印ａ方向）の左側板７２及び右側（矢印ｂ方向）の右側板７３と、左側板７２と連結する正面側（矢印ｅ方向）の第１前板７４ａと、右側板７３と連結する正面側（矢印ｅ方向）の第２前板７４ｂとを有する。
【００４３】
背板７１の内壁面には、回動部材６０のピン支持部６１の外周面を摺動自在に支持する弧状の凹面７５ａを有する第１凹部７５が上下方向（矢印ｃｄ方向）にわたって設けられている。
【００４４】
また、背板７１の内壁面には、第１凹部７５の左側（矢印ａ方向）に凹部空間７６ａが設けられている。凹部空間７６ａは、回動部材６０が回動していないときに当該回動部材６０の係止凸部６３を収容可能なスペースであり、第１凹部７５と後述する第１ねじ受け部７７との間に、上下方向（矢印ｃｄ方向）にわたって設けられている。
【００４５】
さらに、背板７１の内壁面には、凹部空間７６ａの左側（矢印ａ方向）に、固定ねじ１３が挿入される第１ねじ受け部７７が上下方向（矢印ｃｄ方向）にわたって設けられている。
【００４６】
第１ねじ受け部７７は、平面視略Ｃ形状を有している。ただし、これに限るものではなく、平面視円筒形状を有していてもよい。第１ねじ受け部７７の上端部内周面及び下端部内周面には、雌ネジ７７ａ、７７ｂが形成されている。
【００４７】
さらに、背板７１と右側板７３との角部、および、右側板７３と第２前板７４ｂとの角部には、第１ねじ受け部７７と同様に第２ねじ受け部７８及び第３ねじ受け部７９が上下方向にわたって設けられている。第２ねじ受け部７８及び第３ねじ受け部７９についても、上端部内周面及び下端部内周面には、雌ネジ７８ａ、７８ｂ、７９ａ、７９ｂがそれぞれ形成されている。
【００４８】
バネ支持部材８０は、図３および図７（Ａ）乃至（Ｃ）に示すように、薄板状の基部８１と、筒状部８２と、第１固定片８３と、第２固定片８４と、を有する。
【００４９】
基部８１は、筒状部８２の両側に矩形状の突出部分８１ａ、８１ｂを有している。したがって、回動部材６０の把手体６２の開口６２ａにバネ支持部材８０を嵌合する際、把手体６２の側壁部分６２ｐにバネ支持部材８０の突出部分８１ａが係止され、把手体６２の側壁部分６２ｑに突出部分８１ｂが係止される。
【００５０】
筒状部８２は、基部８１上に立設された円筒状部分である。筒状部８２の高さは、後述する付勢部材９０の螺旋部分９１の高さよりも高く、筒状部８２の外径は、付勢部材９０の螺旋部分９１の直径よりも僅かに小さい。したがって、筒状部８２の外周面に対して付勢部材９０を装着し、基部８１上に保持することが可能となる。
【００５１】
また、筒状部８２の中央には、当該筒状部８２および当該基部８１を貫通する貫通孔８２ａが形成されている。貫通孔８２ａの内径は、ピン１２の軸本体１２ａの外径より僅かに大きい。したがって、回動部材６０の開口６２ａにバネ支持部材８０が嵌合される際、ピン支持部６１のピン支持孔６１ａと当該バネ支持部材８０の筒状部８２の貫通孔８２ａとが連通され、ピン１２が筒状部８２の貫通孔８２ａに挿通された後、ピン支持部６１のピン支持孔６１ａに挿入される。
【００５２】
第１固定片８３は、略直方体形状からなり、基部８１の突出部分８１ｂの上に一体に立設されている。第１固定片８３は、平坦面８３ａと、当該平坦面８３ａのうち、筒状部８２と対向する部分に円弧状に形成された円弧状面８３ｂとを有する。
【００５３】
第１固定片８３の平坦面８３ａは、付勢部材９０の第１直線部分９２と当接し、バネ支持部材８０と一体に嵌合された回動部材６０に対して付勢部材９０による付勢力を付与する。円弧状面８３ｂは、筒状部８２に付勢部材９０を配置した際、付勢部材９０の螺旋部分９１と緩衝しないために形成されている。
【００５４】
第２固定片８４は、基部８１の下面に突設された角柱部材であり、図３に示すように、回動部材６０の把手体６２の開口６２ａにバネ支持部材８０が嵌合される際、把手体６２の側壁部分６２ｑと当接する傾斜当接面８４ａと、把手体６２の側壁部分６２ｐと当接する垂直当接面８４ｂとを有する。
【００５５】
付勢部材９０は、例えばコイルばねである。付勢部材９０は、螺旋状に巻回された螺旋部分９１と、当該螺旋部分９１の両端で直線状に延ばされて形成された第１直線部分９２及び第２直線部分９３とを備えている。この場合、第１直線部分９２と第２直線部分９３とは、互いに略直角をなすように形成されている。
【００５６】
したがって、図７（Ａ）に示すように、付勢部材９０がバネ支持部材８０の筒状部８２に取り付けられた状態で、回動部材６０の上端部が上蓋部１０の回動部材収容空間２１に収容されて取り付けられると、第１直線部分９２がバネ支持部材８０の第１固定片８３の平坦面８３ａに当接され、第２直線部分９３が上蓋部１０の回動部材収容空間２１を画成している第５内壁面２１ｕに当接される。なお、付勢部材９０は、下蓋部３０に対しても、上蓋部１０と同様に装着される。
【００５７】
＜受け部＞
図８に示すように、受け部１００は、平面視矩形状の受け本体部１１０と、当該受け本体部１１０の右側（矢印ｂ方向）へ腕部１１０ａを介して突出した係止端部１２０と、受け本体部１１０と係止端部１２０との間に形成された係止凹部１３０とを有する。
【００５８】
係止端部１２０の正面側（矢印ｅ方向）には、左側（矢印ａ方向）から右側（矢印ｂ方向）へ向かって肉厚が次第に減少するような傾斜角度のＣ面取部分１２０ａが形成されている。
【００５９】
Ｃ面取部分１２０ａは、回動部材６０の係止凸部６３のＲ面取部分６３ｘｙと当接される部分であり、引き戸扉５２０に取り付けられる回動部材６０が右側（矢印ｂ方向）から左側（矢印ａ方向）へ移動する際に、係止凸部６３が係止凹部１３０に係止するまでの過程において接触する部分である。
【００６０】
係止凹部１３０は、回動部材６０の係止凸部６３と係合する凹状溝であり、正面側（矢印ｅ方向）が開口している。係止凹部１３０の左右方向（矢印ａｂ方向）の幅は、係止凸部６３の左右方向（矢印ａｂ方向）の幅よりも大きい。
【００６１】
＜使用方法＞
図９（Ａ）乃至（Ｃ）、及び、図１０（Ａ）乃至（Ｃ）を参照して、本実施形態における引き戸扉用ロック装置３００の使用方法の一例について説明する。
【００６２】
まず、引き戸扉５２０が閉められた際にロック状態とする方法について説明する。図９（Ａ）に示すように、引き戸扉５２０が開いている状態では、付勢部材９０の付勢力によって回動部材６０の把手体６２の側壁部分６２ｑが回動部材収容空間２１の第１内壁面２１ｐと当接されている。このとき、回動部材６０の係止凸部６３の側面６３ｘは、係止凸部貫通孔２２の第１内壁面２２ｐと当接され、もしくは近接する位置に存在する。
【００６３】
次に、図９（Ｂ）に示すように、引き戸扉５２０が白抜き矢印の方向（左方向）へスライドされると、回動部材６０の係止凸部６３が受け部１００における係止端部１２０のＣ面取部分１２０ａに当接される。
【００６４】
さらに、引き戸扉５２０が白抜き矢印の方向（左方向）へスライドされると、回動部材６０の係止凸部６３が係止端部１２０のＣ面取部分１２０ａの傾斜面に摺接しながら、ピン１２を中心として回動部材６０が黒矢印に示すように図中反時計回り方向へ回動するとともに、係止凸部貫通孔２２内を係止凸部６３が図中反時計回り方向へ回動する。
【００６５】
このとき、回動部材６０の係止凸部６３の側面６３ｘと側面６３ｙとの角部がＲ面取部分６３ｘｙとなっているため、係止凸部６３を係止端部１２０のＣ面取部分１２０ａに摺接させながら、回動部材６０を円滑に回動させることができる。
【００６６】
回動部材６０の把手体６２と係止凸部６３とは一体であるため、係止凸部６３の回動と連動して、把手体６２もピン１２を中心として回動する。ただし、回動部材６０には、付勢部材９０を介して時計回り方向へ回転させようとする付勢力が作用しているため、係止凸部６３が係止端部１２０のＣ面取部分１２０ａを乗り越えると、図９（Ｃ）に示すように、係止凸部６３は付勢部材９０による付勢力によって受け部１００の係止凹部１３０に係止される。これにより、引き戸扉５２０が閉められたロック状態が維持される。
【００６７】
次に、引き戸扉５２０を開けてロック状態を解除する方法について説明する。引き戸扉５２０が閉められたロック状態が維持されている場合、回動部材６０の係止凸部６３は受け部１００の係止凹部１３０に係止された係止状態にある。
【００６８】
図１０（Ａ）に示すように、ユーザが把手体６２を持って引き戸扉５２０を開ける方向へ引っ張ると、把手体６２を介して回動部材６０がピン１２を中心に回動部材収容空間２１内を反時計回り方向へ回動する。
【００６９】
回動部材６０においては、把手体６２と係止凸部６３とが連結部６４を介して一体となっているため、図１０（Ｂ）に示すように、把手体６２が回動部材収容空間２１内において点線矢印に示すように回動するのに伴い、係止凸部６３が係止凸部貫通孔２２内において実線矢印に示すように反時計回り方向へ回動する。
【００７０】
これにより、図１０（Ｃ）に示すように、回動部材６０の係止凸部６３が受け部１００の係止凹部１３０に係止された係止状態が解除される。その結果、食器棚５００では、白抜き矢印の方向（右方向）へ引き戸扉５２０をスライドさせることができるようになる。すなわち、ロック機構付把手部２００を設けた引き戸扉５２０では、ユーザにロック解除動作を意識させることなく、引き戸扉５２０を開けようとする通常の動作だけでロック状態を解除することができる。
【００７１】
＜他の実施形態＞
本発明は上記実施形態において示した態様に限定されるものではなく、例えば、以下のような実施形態も包含するものである。
【００７２】
上述した本実施形態では、受け部１００が、枠体５１０の左側（矢印ａ方向）の上端部に取り付けられ、ロック機構付把手部２００が、引き戸扉５２０の左側（矢印ａ方向）の左端部に取り付けられている例を示した。しかしながら、これに限るものではなく、受け部１００が、枠体５１０の右側（矢印ｂ方向）の上端部に取り付けられ、ロック機構付把手部２００は、引き戸扉５２０の右側（矢印ｂ方向）の右端部に取り付けられていてもよい。
【００７３】
また、受け部１００が、枠体５１０の左側（矢印ａ方向）の上端部および右側（矢印ｂ方向）の上端部の双方に取り付けられ、引き戸扉５２０の左側（矢印ａ方向）の左端部および右側（矢印ｂ方向）の右端部の双方に取り付けられていてもよい。さらに、受け部１００が、枠体５１０の上端部ではなく、枠体５１０の下端部に取り付けられ、回動部材６０の係止凸部６３が当該回動部材６０の下端部から下側（矢印ｄ方向）へ突出していてもよい。
【００７４】
また、上述した本実施形態では、付勢部材９０を上下２箇所に配置するようにした場合について述べたが、これに限るものではなく、付勢部材９０をいずれか一方に配置してもよい。
【００７５】
また、本実施形態では、係止凸部６３が回動部材６０と一体形成されている場合について述べたが、これに限るものではなく、係止凸部６３のうち、回動部材６０から突出している部分だけを別部材として取り付けるようにしてもよい。
【００７６】
本実施形態では、上蓋部１０の支持体１１と下蓋部３０の支持体３１とが略直方体形状である例を示したが、支持体１１及び支持体３１の形状はこれに限るものではない。
【００７７】
また、本実施形態では、把手体６２が中空の略三角筒状部材である例を示したが、把手体６２の形状はこれに限るものではない。
【００７８】
また、本実施形態では、収容部材７０において、第１ねじ受け部７７の上端部内周面及び下端部内周面に、雌ネジ７７ａ、７７ｂが形成されている場合を示したが、雌ネジ７７ａ、７７ｂは形成されていなくてもよい。固定ねじ１３として、タッピングネジ等を用いることにより、雌ネジ７７ａ、７７ｂが形成されていなくても、支持体１１と収容部材７０、並びに、支持体３１と収容部材７０を締結させることができる。同様に、第２ねじ受け部７８と第２ねじ受け部７９においても、雌ネジ７８ａ、７８ｂ、７９ａ、７９ｂは形成されていなくてもよい。
【符号の説明】
【００７９】
１０……上蓋部、１１、３１……支持体、１２……ピン、１２ａ……軸本体、１２ｂ……縮径部、１３……固定ねじ、２１、４１……回動部材収容空間、２１ｐ……第１内壁面、２１ｑ……第２内壁面、２１ｒ……第３内壁面、２１ｓ……第４内壁面、２１ｕ……第５内壁面、２１ｖ……第６内壁面、２２……係止凸部貫通孔、２２ｐ……第１内壁面、２２ｑ……第２内壁面、２２ｒ……第３内壁面、２２ｓ……第４内壁面、２３……ピン支持孔（軸支持孔）、２４〜２６、４４〜４６……ねじ固定孔、３０……下蓋部、５０……本体部、６０……回動部材、６１……ピン支持部、６１ａ、６１ｂ……ピン支持孔、６１ｈ……開口、６２……把手体、６２ｐ、６２ｑ……側壁部分、６２ｒ……連結壁部分、６３……係止凸部、６３ｘ、６３ｙ……側面、６３ｘｙ……Ｒ面取部分、６４……連結部、７０……収容部材、７０ａ、７０ｂ、７０ｃ……開口、７１……背板、７２……左側板、７３……右側板、７４ａ……第１前板、７４ｂ……第２前板、７５……第１凹部、７５ａ……凹面、７６ａ……凹部空間、７７……第１ねじ受け部、７８……第２ねじ受け部、７９……第３ねじ受け部、８０……バネ支持部材、８１……基部、８２……筒状部、８２ａ……貫通孔、８３……第１固定片、８３ａ……平坦面、８３ｂ……円弧状面、８４……第２固定片、８４ａ……傾斜当接面、８４ｂ……垂直当接面、９０……付勢部材、９１……螺旋部分、９２……第１直線部分、９３……第２直線部分、１００……受け部、１１０……受け本体部、１１０ａ……腕部、１２０……係止端部、１２０ａ……Ｃ面取部分、１３０……係止凹部、２００……ロック機構付把手部、３００……引き戸扉用ロック装置、５００……食器棚、５１０……枠体、５１０ａ……開口部、５２０……引き戸扉。
【図１】
2018115490.tif 000003
【図２】
2018115490.tif 000004
【図３】
2018115490.tif 000005
【図４】
2018115490.tif 000006
【図５】
2018115490.tif 000007
【図６】
2018115490.tif 000008
【図７】
2018115490.tif 000009
【図８】
2018115490.tif 000010
【図９】
2018115490.tif 000011
【図１０】
2018115490.tif 000012